(57)【要約】      （修正有）【課題】床の排水口に嵌め込むと共に、床の美観性を向上させる排水目皿を提供する。【解決手段】排水目皿は、上側に開口が形成され、下段部に排水管が設けられ、上段部に環状壁が設けられ、排水管と環状壁の間に環状の介在縁部が設けられるベース１０と、ベースの介在縁部の上側に嵌め込まれ、中央部に形成される嵌合穴及び複数の排水穴を備える目付き盤体２０と、カバー部及び支持部を備える。カバー部がベースの開口に位置し、環状壁より小さい寸法を備え、環状壁との間に流入口が形成され、支持部が垂直状を呈し、目付き盤体の嵌合穴に挿し込まれるフタ３０と、を有する。使用上、フタのカバー部が目付き盤体の排水穴をカバーすると共に、床の材質または模様に応じてカバー部を変更することができるので、美観性に優れる。【選択図】図１
0003191043.tif 000002
【実用新案登録請求の範囲】
【請求項１】
上側に開口が形成され、下段部に排水管が設けられ、上段部に環状壁が設けられ、該排水管と環状壁の間に環状の介在縁部が設けられるベースと、
前記ベースの介在縁部の上側に嵌め込まれ、中央部に形成される嵌合穴及び複数の排水穴を備える目付き盤体と、
カバー部及び支持部を備え、該カバー部が前記ベースの開口に位置し、環状壁より小さい寸法を備え、該環状壁との間に流入口が形成され、該支持部が垂直状を呈し、前記目付き盤体の嵌合穴に挿し込まれるフタと、を有することを特徴とする排水目皿。
【請求項２】
前記ベースは、二段階の管体であり、前記環状壁の内径が排水管の内径より大きく、前記介在縁部が該排水管の上端と環状壁の下端とを連接することを特徴とする請求項１に記載の排水目皿。
【請求項３】
前記環状壁の上端近傍の内周面に傾斜状の流れ斜面が形成されることを特徴とする請求項２に記載の排水目皿。
【請求項４】
前記介在縁部の内周面に傾斜状のガイド面が形成されることを特徴とする請求項３に記載の排水目皿。
【請求項５】
前記目付き盤体の中央部にチューブが上方へ延設され、該チューブの上面に前記嵌合穴が形成され、該嵌合穴の下端に支持部と当接する当接部及び通気穴が形成されることを特徴とする請求項４に記載の排水目皿。
【請求項６】
前記目付き盤体の中央部にチューブが上方へ延設され、該チューブの上面に前記嵌合穴が形成され、該嵌合穴の下端に支持部と当接する当接部が形成されることを特徴とする請求項１に記載の排水目皿。
【請求項７】
前記嵌合穴の下端に通気穴が形成されることを特徴とする請求項６に記載の排水目皿。
【請求項８】
前記カバー部の外周縁に下方へ行く次第に斜め内側に縮小する取り斜面が形成されることを特徴とする請求項１乃至７の何れか１項に記載の排水目皿。
【請求項９】
前記カバー部の底面に凹み部が凹設され
前記支持部の上端に凹み部に嵌合するヘッドが設けられることを特徴とする請求項８に記載の排水目皿。
【請求項１０】
前記カバー部の凹み部と支持部のヘッドの間に粘着層が設けられることを特徴とする請求項９に記載の排水目皿。
【考案の詳細な説明】
【技術分野】
【０００１】
本考案は、特に床の排水口に嵌め込むと共に、床の美観性を向上させる排水目皿に関するものである。
【背景技術】
【０００２】
目皿とは、床の排水口に嵌め込み、ゴミ上部の止め皿に形成した複数の狭い排水穴によって、髪の毛やゴミなどの異物を止めて、排水管に詰まることを防止するものである。
【考案の概要】
【考案が解決しようとする課題】
【０００３】
しかしながら、既存の目皿は、ゴミを止めて排水管に詰めることが防止できるが、上部の止め皿が床に露出するように排水口に取り付けられることから、それらの排水穴が外から見られ、美観性に劣ると共に、室内の内装に似合わないという問題もあった。
【課題を解決するための手段】
【０００４】
本考案に係る排水目皿は、上側に開口が形成され、下段部に排水管が設けられ、上段部に環状壁が設けられ、該排水管と環状壁の間に環状の介在縁部が設けられるベースと、
前記ベースの介在縁部の上側に嵌め込まれ、中央部に形成される嵌合穴及び複数の排水穴を備える目付き盤体と、
カバー部及び支持部を備え、該カバー部が前記ベースの開口に位置し、環状壁より小さい寸法を備え、該環状壁との間に流入口が形成され、該支持部が垂直状を呈し、前記目付き盤体の嵌合穴に挿し込まれるフタと、を有するものである。
【０００５】
かかる排水目皿において、前記ベースは、二段階の管体であり、前記環状壁の内径が排水管の内径より大きくし、前記介在縁部が該排水管の上端と環状壁の下端とを連接することが好ましい。
【０００６】
かかる排水目皿において、前記環状壁の上端近傍の内周面に傾斜状の流れ斜面が形成されることが好ましい。
【０００７】
かかる排水目皿において、前記介在縁部の内周面に傾斜状のガイド面が形成されることが好ましい。
【０００８】
かかる排水目皿において、前記目付き盤体の中央部にチューブが上方へ延設され、該チューブの上面に前記嵌合穴が形成され、該嵌合穴の下端に支持部と当接する当接部及び通気穴が形成されることが好ましい。
【０００９】
かかる排水目皿において、前記カバー部の外周縁に下方へ行く次第に斜め内側に縮小する取り斜面が形成されることが好ましい。
【００１０】
かかる排水目皿において、前記カバー部の底面に凹み部が凹設され
前記支持部の上端に凹み部に嵌合するヘッドが設けられることが好ましい。
【００１１】
かかる排水目皿において、前記カバー部の凹み部と支持部のヘッドの間に粘着層が設けられることが好ましい。
【考案の効果】
【００１２】
本考案に係る排水目皿を有すれば、以下のメリットを有する。
１．  排水目皿を床に取り付ける場合に、フタのカバー部が床と同一平面に位置すると共に、目付き盤体の排水穴をカバーすることもできるので、建築物の床を綺麗にする。
２．  排水目皿のフタは、建築物の内装に応じて、カバー部の材質や模様を変更することができるので、建築物の床に似合いになり、美観性を向上させる。
３．  ベースに流れ斜面、フタに取り斜面が設けられるので、使用者の指を流入口からベースに差し入れてフタを取り上げ、排水穴で止まった髪の毛を簡単に掃除することができ、使用上、非常に便利であった。
４．  排水目皿の構造がシンプルで取り付け方も簡単であることから、実用性が高い。
【図面の簡単な説明】
【００１３】
【図１】本考案に係る排水目皿の第一実施例の斜視図である。
【図２】本考案に係る排水目皿の第一実施例の分解斜視図である。
【図３】本考案に係る排水目皿の第一実施例の断面図である。
【図４】本考案に係る排水目皿の第一実施例の上面視平面図である。
【図５】本考案に係る排水目皿の第一実施例において、フタを取り上げる操作を示す断面図である。
【図６】本考案に係る排水目皿の第一実施例において、排水穴に止まった髪の毛を掃除する操作を示す断面図である。
【図７】本考案に係る排水目皿の第二実施例の分解斜視図である。
【図８】本考案に係る排水目皿の第二実施例において、床に嵌め込まれた状態を示す断面図である。
【図９】本考案に係る排水目皿の第二実施例において、床に嵌め込まれた状態を示す上面視平面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１及び図２に示すように、本考案に係る排水目皿における第一実施例は、ステンレス材質からなるベース１０と、目付き盤体２０と、フタ３０とを備え、該ベース１０は、円管状を呈し、上部に開口が形成され、該目付き盤体２０は、ベース１０の内部に嵌め込まれ、該フタ３０は、ベース１０の開口をカバーするように取り付けられる。
【００１６】
図２及び図３に示すように、前記ベース１０は、二段階式の管体であり、垂直式の円管体であってもよく、他の外形を有してもよい。該ベース１０における、下段部に小径の排水管１１が設けられ、上段部に大径の環状壁１２が設けられ、該排水管１１の上端と環状壁１２の下端とを連接するように、該排水管１１と環状壁１２の間に環状の介在縁部１３が設けられ、該介在縁部１３の内周面における排水管１１と接着する箇所にガイド面１４が形成される。また、該ガイド面１４は、外側周縁から内側周縁へ行く次第に斜め下方へ延出する傾斜面である。該環状壁１２の上端近傍の内周面に流れ斜面１５が形成される。該流れ斜面１５は、外側周縁から内側周縁へ行く次第に斜め下方へ延出する傾斜面である。
【００１７】
前記目付き盤体２０は、環状壁１２の内径と一致する円盤体であり、環状壁１２の内部及び介在縁部１３の上側に嵌め込まれ、中央部にチューブ２１が上方へ延設され、該チューブ２１の上面に嵌合穴２１１が形成され、該嵌合穴２１１の下端の内周面に当接部２１２が延設され、該当接部２１２の内径が嵌合穴２１１の内径より小さくし、該当接部２１２に通気穴２１３が形成される。該目付き盤体２０は、複数の排水穴２２を有し、これらの排水穴２２はそれぞれ、ベース１０の排水管１１と連通するように、チューブ２１の周囲に放射状に配列される。
【００１８】
前記フタ３０は、カバー部３１及び支持部３２を備え、該カバー部３１は、ベース１０の開口に位置し、ベース１０の環状壁１２よりやや小さい寸法を有し、環状壁１２との間に環状の流入口Ａが形成され、該支持部３２は、カバー部３１の底面に設けられる。なお、該カバー部３１は、円盤状を呈し、外周縁に下方へ行く次第に斜め内側に縮小する取り斜面３１１が形成され、該支持部３２は、カバー部３１の底面中心に延設され、当接部２１２と当接するように、着脱可能に目付き盤体２０の嵌合穴２１１に挿し込まれる。この構造を有すれば、フタ３０のカバー部３１の上面がベース１０の上端と同一平面に位置する。
【００１９】
図４及び図５に示すように、本考案に係る排水目皿を使用する時、カバー部３１が床と同一平面に位置するように、ベース１０を床に嵌設し、この場合に、フタ３０のカバー部３１が目付き盤体２０の排水穴２２をカバーして円環状の流入口Ａしか露出しない。それによれば、排水口に目皿を取り付けても排水穴２２が見られなく、床の美観性に優れ、室内の内装に似合って綺麗な空間を作られ、実用性にも向上させる。
【００２０】
本考案に係る排水目皿において、排水する時、水が流入口Ａを通ってベース１０の内部に流れ、目付き盤体２０の排水穴２２を通過してベース１０の排水管１１から流出する。また、髪の毛などのゴミが目付き盤体２０で止まり、排水穴２２を通過することできないので、排水管に詰まることはない。図５及び図６に示すように、流れ斜面１５及び取り斜面３１１の構成を備えるので、使用者の指を流入口Ａからベース１０に差し入れてフタ３０を取り上げると、排水穴２２で止まった髪の毛を簡単に掃除することができる。
【００２１】
本考案に係る排水目皿は、ステンレスやアルミなどの金属材質からなってよく、その目付き盤体２０のチューブ２１が下方へ延設されてもよく、そのフタ３０のカバー部３１が建築物の床と同一の外観にしてもよい。
【００２２】
図７及び図８に示すように、本考案に係る排水目皿の第二実施例は、殆ど第一実施例と同一であるが、フタ３０Ａの構成が異なる。本実施例におけるフタ３０Ａは、カバー部３１Ａ及び支持部３２Ａからなる仕組みであり、該カバー部３１Ａは、円盤状を呈し、建築物の床の材質に応じて大理石またはタイルからなってもよく、外周面に環状の取り斜面３１１Ａが形成され、底面の中心に円形の凹み部３１２Ａが凹設され、該凹み部３１２Ａの内端面に粘着層３１３Ａが設けられる。該支持部３２は、垂直の柱状を呈し、嵌合穴２１１に挿し込まれ、上端に凹み部３１２Ａに嵌合するヘッド３２１Ａが設けられ、粘着層３１３Ａにより支持部３２Ａをカバー部３１Ａに粘着させる。
【００２３】
図８及び図９に示すように、本考案に係る排水目皿の第二実施例において、ベース１０を床に嵌設する時、その床が大理石からなれば、フタ３０Ａのカバー部３１Ａも大理石からなってもよく、建築物の床に似合って美観性を向上させることができる。
【符号の説明】
【００２４】
１０              ベース
１１              排水管
１２              環状壁
１３              介在縁部
１４              ガイド面
１５              流れ斜面
２０              目付き盤体
２１              チューブ
２１１            嵌合穴
２１２            当接部
２１３            通気穴
２２              排水穴
３０、３０Ａ      フタ
３１、３１Ａ      カバー部
３１１、３１１Ａ  取り斜面
３１２Ａ          凹み部
３１３Ａ          粘着層
３２、３２Ａ      支持部
３２１Ａ          ヘッド
Ａ                流入口
【図１】
0003191043.tif 000003
【図２】
0003191043.tif 000004
【図３】
0003191043.tif 000005
【図４】
0003191043.tif 000006
【図５】
0003191043.tif 000007
【図６】
0003191043.tif 000008
【図７】
0003191043.tif 000009
【図８】
0003191043.tif 000010
【図９】
0003191043.tif 000011